【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
メディアコンテンツを有する信号に関連する知覚可能な付加情報を供給する方法であって、
−  少なくとも前記メディアコンテンツの第１の限定された部分の形態の第１の情報片を、本質的に損失を伴わずに、圧縮するステップと、
−  元の前記メディアコンテンツと前記付加情報とが、本質的に損失を伴わずに、ユーザに、選択的に提示されることができるように、圧縮された前記第１の情報片を少なくとも含む前記メディアコンテンツを、前記知覚可能な付加情報と一緒に供給するステップと、
を有する方法。
【請求項２】
−  第２の情報片を圧縮し、前記第１及び第２の情報片を含む前記メディアコンテンツが、本質的に損失を伴わずに取得されることができるように、圧縮された前記第１及び第２の情報片を、前記メディアコンテンツ内に一緒に設けるステップ、
を有する、請求項１に記載の方法。
【請求項３】
前記第２の情報片が、前記メディアコンテンツの第２の限定された部分の形態にあり、前記第１及び第２の情報片を供給する前記ステップが、情報のこれらの片を、前記メディアコンテンツ内の、前記第２の情報片の元の位置に設けるステップを含む、請求項２に記載の方法。
【請求項４】
前記付加情報が、少なくとも前記圧縮された第１の情報片とは別の、前記メディアコンテンツの部分に設けられる、請求項１に記載の方法。
【請求項５】
前記付加情報が、圧縮された前記第１の情報片とは別の信号内に設けられる、請求項１に記載の方法。
【請求項６】
情報の付加的な片を有する前記信号が、前記第１の情報片を含む前記信号とは別の種類である、請求項５に記載の方法。
【請求項７】
前記付加情報が、前記メディアコンテンツと同じ種類のものであり、前記メディアコンテンツの前記第１の情報片の元の位置に設けられる、請求項１に記載の方法。
【請求項８】
前記第２の情報片が、情報の付加的な片であって、前記メディアコンテンツ内に前記第１及び第２の情報片を設けるステップは、前記メディアコンテンツ内の前記第１の情報片の元の位置に、情報のこれらの片を設けるステップを有する、請求項２に記載の方法。
【請求項９】
前記メディアコンテンツが画像を有する、請求項１に記載の方法。
【請求項１０】
前記メディアコンテンツがビデオを有する、請求項１に記載の方法。
【請求項１１】
前記メディアコンテンツがオーディオを有する、請求項１に記載の方法。
【請求項１２】
前記付加情報がハイパーリンクを有する、請求項１に記載の方法。
【請求項１３】
メディアコンテンツを有する信号内の圧縮された情報を取得する方法であって、
−  圧縮された少なくとも前記メディアコンテンツの第１の限定された部分の形態の前記第１の情報片を含む前記メディアコンテンツを、知覚可能な付加情報と共に、受信する又は取得するステップと、
−  前記知覚可能な付加情報を、前記メディアコンテンツから取得するステップと
−  少なくとも１つの付加情報と、前記メディアコンテンツの少なくとも一部とを、本質的に損失を伴わずに、ユーザに提示するステップと、
を有する方法。
【請求項１４】
請求項１３に記載の方法であって、前記メディアコンテンツは取得される圧縮された第２の情報片を含んでおり、更に、ユーザの制御の下で、前記情報の圧縮された片の少なくとも１つを、前記ユーザに提供するように、本質的に損失を伴わずに、選択的に伸張するステップを含む方法。
【請求項１５】
請求項１４に記載の方法であって、前記第１及び第２の情報片が、前記メディアコンテンツの同じ場所に設けられ、更に、前記メディアコンテンツ内の圧縮された前記第１及び第２の情報片の場所に、伸張された前記第１の情報片を位置するステップを含む方法。
【請求項１６】
請求項１４に記載の方法であって、前記第１及び第２の情報片が、前記メディアコンテンツの同じ場所に設けられ、更に、前記メディアコンテンツ内の圧縮された前記第１及び第２の情報片の場所に、伸張された前記第２の情報片を位置するステップを含む方法。
【請求項１７】
メディアコンテンツを有する信号に関連する知覚可能な付加情報を供給する装置であって、
−  少なくとも前記メディアコンテンツの第１の限定された部分の形態の第１の情報片を、圧縮し、
−  少なくとも１つのメディアコンテンツと知覚可能な付加情報とが、本質的に損失を伴わずに、ユーザに提供されることができるように、前記メディアコンテンツに関連する前記知覚可能な付加情報を供給し、前記メディアコンテンツ内に圧縮された前記第１の情報片を少なくとも供給する、
エンコーダを有する、装置。
【請求項１８】
メディアコンテンツを有する信号内の圧縮された情報を取得する装置であって、
−  圧縮された少なくとも前記メディアコンテンツの第１の限定された部分の形態の第１の情報片を含む前記メディアコンテンツと、知覚可能な付加情報とを取得又は受信し、
−  前記メディアコンテンツに関連する知覚可能な付加情報を取得し、
−  少なくとも１つのメディアコンテンツと知覚可能な付加情報とを、本質的に損失を伴わずにユーザに供給するように、本質的に損失を伴わずに伸張する、
デコーダを有する、装置。
【請求項１９】
メディアコンテンツエディタであって、
−  圧縮された少なくとも前記メディアコンテンツの第１の限定された部分の形態の第１の情報片を含むメディアコンテンツを、前記メディアコンテンツに関連する付加情報と共に取得するデコーダと、
−  情報提示ユニットと、
−  元のメディアコンテンツが、本質的にビット精度の態様で、復元可能であるように、ユーザの制御の下で、前記付加情報の処理を可能にする、制御ユニットと、
を有する、メディアコンテンツエディタ。
【請求項２０】
前記制御ユニットは、前記情報提示ユニットに、前記付加情報を、該情報提示ユニット上で、前記元のメディアコンテンツの少なくとも一部を覆って、提示させる、請求項１９に記載の、メディアコンテンツエディタ。
【請求項２１】
前記制御ユニットは、前記付加情報内に設けられているハイパーリンクを読み出し、該ハイパーリンクと関連付けられているウェブページに接続する、請求項１９に記載のメディアコンテンツエディタ。
【請求項２２】
前記制御ユニットは、他の付加情報を、前記元のメディアコンテンツ上に設ける、請求項１９に記載のメディアコンテンツエディタ。
【請求項２３】
前記制御ユニットは、前記元のメディアコンテンツ内の領域であって、付加情報が、該領域上設けられた場合に、最も知覚可能でない歪みを生じる領域の識別を可能にする、請求項１９に記載のメディアコンテンツエディタ。
【請求項２４】
前記制御ユニットは、元の信号のサンプルの間に、新しい補間された値の挿入を可能にする、請求項１９に記載のメディアコンテンツエディタ。
【請求項２５】
コンピュータ読み取り可能な媒体を有する、コンピュータ上で使用されるべき、メディアコンテンツを編集するためのコンピュータプログラムであって、該コンピュータ読み取り可能な媒体は、コンピュータプログラムコード手段を有し、該コンピュータプログラムコード手段は、前記コンピュータプログラムが前記コンピュータ内でロードされた場合、前記コンピュータに、
−  圧縮された少なくとも前記メディアコンテンツの第１の限定された部分の形態の前記第１の情報片を含むメディアコンテンツを、前記メディアコンテンツに関連する付加情報と共に取得するように、デコーダを設定し、
−  元のメディアコンテンツが、本質的にビット精度の態様で、復元可能であるように、ユーザの制御の下で、前記付加情報の処理を可能にさせる、
コンピュータプログラム。
【請求項２６】
コンピュータ上で使用されるべき、メデイアコンテンツを編集するためのコンピュータプログラムエレメントであって、該コンピュータプログラムエレメントは、コンピュータプログラムコード手段を有し、該コンピュータプログラムコード手段は、前記コンピュータプログラムが、前記コンピュータ内でロードされた場合、前記コンピュータに、
−  圧縮された少なくとも前記メディアコンテンツの第１の限定された部分の形態の前記第１の情報片を含むメディアコンテンツを、前記メディアコンテンツに関連する付加情報と共に取得するようにデコーダを設定し、
−  元のメディアコンテンツが、本質的にビット精度の態様で、復元可能であるように、ユーザの制御の下で、前記付加情報の処理を可能にさせる、
コンピュータプログラムエレメント。